(57)【特許請求の範囲】
【請求項１】
前部に相手方端子に対して接続するための電気接続部を有し、その後部に、電線の端末部に対して加締め接続される電線接続部を有し、該電線接続部が、前側に位置する導体圧着部とその後側に位置する被覆加締部とを備えており、
前記導体圧着部が、底板部と、該底板部の両側縁から上方に延長し、且つ接続すべき電線の端末の被覆部分を除去して露出させた導体を包み込むように内側に曲げられることで前記導体を前記底板部の上面に密着した状態となるように加締める一対の導体加締片と、を有する断面視略Ｕ字状に形成されると共に、
前記被覆加締部が、底板部と、該底板部の両側縁から上方に延長し、且つ接続すべき電線の端末の被覆部分を包み込むように内側に曲げられることで、該被覆部分を前記底板部の上面に密着した状態となるように加締める一対の被覆加締片と、を有する断面視略Ｕ字状に形成され、
前記導体圧着部の底板部と前記被覆加締部の底板部が共通の底板部として形成された圧着端子の電線に対する接続構造であって、
前記導体圧着部と前記被覆加締部によって前記電線の端末の導体と被覆部分をそれぞれ加締めた際に前記電線の導体が外部に露出する可能性のある部分を少なくとも含むように、予め加締めを行う前に前記電線の端末の上側に、吸水性樹脂よりなる半円筒状のカバー部材を覆い被せ、その上から前記導体加締片と前記被覆加締片の加締めを行うことにより、前記導体の露出部分を覆った状態で前記カバー部材を前記導体加締片と前記被覆加締片とによって保持したことを特徴とする圧着端子の電線に対する接続構造。
【請求項２】
前記導体圧着部と前記被覆加締部の間に露出する前記導体を覆うように、前記カバー部材としての第１のカバー部材を被せ、該第１カバー部材の前端を前記導体圧着部の前記導体加締片により加締められる位置まで延ばすと共に、前記第１カバー部材の後端を前記被覆加締部の前記被覆加締片により加締められる位置まで延ばし、
一方、前記電線の導体の先端面を、前記カバー部材としての第２のカバー部材で覆ったことを特徴とする請求項１に記載の圧着端子の電線に対する接続構造。
【請求項３】
前記カバー部材が、前記電線に接する側に不透水層を形成してなることを特徴とする請求項１または請求項２に記載の圧着端子の電線に対する接続構造。
【発明の詳細な説明】
【技術分野】
【０００１】
本発明は、圧着端子の電線に対する接続構造に関するものである。
【背景技術】
【０００２】
図５は、特許文献１に記載された端子と電線の接続構造を示している。
この端子１１０は、前部にバッテリ等に接続される電気接続部１１１を有すると共に、その後部に、電線Ｗの端末部に対して超音波溶接により接続される電線接続部１１２を有している。電線接続部１１２は、前側に位置する導体接続部１１４と、その後側に位置する被覆固定部１１５とを備えており、導体接続部１１４は、底板部１２１と、該底板部１２１の両側縁から上方に起立した一対の側壁部１２２とを有した断面Ｕ字状に形成されている。電線Ｗの端末は、絶縁被覆Ｗｂを除去して露出した導体Ｗａを導体接続部１１４の底板部１２１の上に載せ、絶縁被覆Ｗｂで覆われた部分を被覆固定部１１５に保持させ、その状態で、導体Ｗａを導体接続部１１４の底板部１２１に溶接することで、端子１１０と電気的および機械的に接続されている。
【先行技術文献】
【特許文献】
【０００３】
【特許文献１】特開２００７−１２３２９号公報
【発明の概要】
【発明が解決しようとする課題】
【０００４】
ところで、上述の従来の端子と電線の接続構造では、端子１１０に接続した電線Ｗの端末の導体Ｗａ部分が外に露出した状態のままになっているため、導体Ｗａに水分が付着した場合に、導体Ｗａが腐食しやすく、その結果、電気的接続信頼性が損なわれるおそれがあった。
【０００５】
本発明は、上述した事情に鑑みてなされたものであり、その目的は、電線接続部に水分が付着しようとしても、電線の導体までは水分が浸入しないようにして、電線の導体の腐食の問題を防ぎ、電気的接続信頼性が損なわれる心配を解消できるようにした圧着端子の電線に対する接続構造を提供することにある。
【課題を解決するための手段】
【０００６】
前述した目的を達成するために、本発明に係る圧着端子の電線に対する接続構造は、下記（１）〜（３）を特徴としている。
（１） 前部に相手方端子に対して接続するための電気接続部を有し、その後部に、電線の端末部に対して加締め接続される電線接続部を有し、該電線接続部が、前側に位置する導体圧着部とその後側に位置する被覆加締部とを備えており、
前記導体圧着部が、底板部と、該底板部の両側縁から上方に延長し、且つ接続すべき電線の端末の被覆部分を除去して露出させた導体を包み込むように内側に曲げられることで前記導体を前記底板部の上面に密着した状態となるように加締める一対の導体加締片と、を有する断面視略Ｕ字状に形成されると共に、
前記被覆加締部が、底板部と、該底板部の両側縁から上方に延長し、且つ接続すべき電線の端末の被覆部分を包み込むように内側に曲げられることで、該被覆部分を前記底板部の上面に密着した状態となるように加締める一対の被覆加締片と、を有する断面視略Ｕ字状に形成され、
前記導体圧着部の底板部と前記被覆加締部の底板部が共通の底板部として形成された圧着端子の電線に対する接続構造であって、
前記導体圧着部と前記被覆加締部によって前記電線の端末の導体と被覆部分をそれぞれ加締めた際に前記電線の導体が外部に露出する可能性のある部分を少なくとも含むように、予め加締めを行う前に前記電線の端末の上側に、吸水性樹脂よりなる半円筒状のカバー部材を覆い被せ、その上から前記導体加締片と前記被覆加締片の加締めを行うことにより、前記導体の露出部分を覆った状態で前記カバー部材を前記導体加締片と前記被覆加締片とによって保持したこと。
（２） 上記（１）の構成の圧着端子の電線に対する接続構造において、
前記導体圧着部と前記被覆加締部の間に露出する前記導体を覆うように、前記カバー部材としての第１のカバー部材を被せ、該第１カバー部材の前端を前記導体圧着部の前記導体加締片により加締められる位置まで延ばすと共に、前記第１カバー部材の後端を前記被覆加締部の前記被覆加締片により加締められる位置まで延ばし、
一方、前記電線の導体の先端面を、前記カバー部材としての第２のカバー部材で覆ったこと。
（３） 上記（１）または（２）の構成の圧着端子の電線に対する接続構造において、
前記カバー部材が、前記電線に接する側に不透水層を形成してなること。
【０００７】
上記（１）の構成の圧着端子の電線に対する接続構造によれば、吸水性樹脂よりなる半円筒状のカバー部材を電線の端末の上に覆い被せた上で、圧着端子の導体圧着部の導体加締片と被覆加締部の被覆加締片を、電線の端末の被覆を除去して露出した導体と被覆の付いた部分に対してそれぞれ加締めているので、カバー部材が導体の露出部分を全て覆い隠すことになり、もし水分が電線接続部に付着しようとしても、水分を積極的にカバー部材を構成する吸水性樹脂によって吸収することができる。
従って、水分の付着による導体の腐食を防止することができ、圧着端子と電線の接続信頼性を長期間にわたり維持することができる。
上記（２）の構成の圧着端子の電線に対する接続構造によれば、カバー部材を第１のカバー部材と第２のカバー部材に２部品化することにより、導体圧着部や被覆加締部を加締めた後に導体が露出している部分を最小限の範囲で覆い隠すことができる。従って、導体圧着部のように、端子と電線の導体の接触面積を最大に確保する必要のある部分は、その障害となるカバー部材を極力省略することによって、高い電気接続性能の維持を図ることができる。
上記（３）の構成の圧着端子の電線に対する接続構造によれば、カバー部材の内面には不透水層が設けられているので、カバー部材の内側にある導体にまで水分が浸入するのを確実に阻止することができる。
【発明の効果】
【０００８】
本発明によれば、端子と電線の接続部に対して水分が付着しようとしても、電線の導体まで水分が浸入しないようにすることができ、電線の導体の腐食の問題を防ぐことができ、その結果、電気的接続信頼性が損なわれる心配を解消することができる。
【０００９】
以上、本発明について簡潔に説明した。更に、以下に説明される発明を実施するための形態を添付の図面を参照して通読することにより、本発明の詳細は更に明確化されるであろう。
【図面の簡単な説明】
【００１０】
【図１】本発明の実施形態の説明図であり、（ａ）は圧着端子の電線に対する接続構造の分解斜視図、（ｂ）はそれに使用するカバー部材の部分拡大断面図である。
【図２】圧着端子の電線接続部に電線の端末とカバー部材をセットした加締め前の状態を示す斜視図である。
【図３】実施形態の接続構造を示す斜視図であり、図２のように電線の端末をセットした後に圧着端子の導体圧着部の導体加締片と被覆加締部の被覆加締片を加締めて、圧着端子と電線の接続構造を完成させた状態を示す斜視図である。
【図４】図３のＩＶ−ＩＶ矢視断面図である。
【図５】従来の端子と電線の接続構造の一例を示す斜視図である。
【発明を実施するための形態】
【００１１】
以下、本発明の実施形態を図面を参照して説明する。
図１（ａ）は本発明に係る実施形態の圧着端子の電線に対する接続構造の分解斜視図、（ｂ）はそれに使用するカバー部材の部分拡大断面図、図２は同接続構造を実現するために圧着端子の電線接続部に電線の端末とカバー部材をセットした加締め前の状態を示す斜視図、図３は図２のように電線の端末をセットした後に圧着端子の導体圧着部の導体加締片と被覆加締部の被覆加締片を加締めて接続構造を完成させた状態を示す斜視図、図４は図３のＩＶ−ＩＶ矢視断面図である。
【００１２】
本発明の圧着端子の電線に対する接続構造は、電線を圧着端子に加締める際に、電線の導体部分にカバー部材を覆い被せることを特徴とする。
【００１３】
図１（ａ）に示したように、この圧着端子１０は、メス型のもので、前部に相手方端子等（不図示）に対して接続するための、バネ片内蔵でボックス型の電気接続部１１を有し、その後部に、繋ぎ部１３を介して、電線Ｗの端末部に対して加締め接続される電線接続部１２を有している。
【００１４】
電線接続部１２は、前側に位置する導体圧着部１４と、その後側に位置する被覆加締部１５とを備えるものである。前側の導体圧着部１４は、底板部２１と、該底板部２１の両側縁から上方に延長した一対の導体加締片２２とで断面視略Ｕ字状に形成されており、前記導体加締片２２は接続すべき電線Ｗの端末の絶縁被覆（以下、単に被覆ということもある。）Ｗｂを除去して露出させた導体Ｗａを包み込むように内側に曲げられることで当該導体Ｗａを底板部２１の上面に密着した状態となるように加締めるものである。また、後側の被覆加締部１５は、底板部２３と、該底板部２３の両側縁から上方に延長した一対の被覆加締片２４とで断面視略Ｕ字状に形成されており、前記被覆加締片２４は接続すべき電線Ｗの端末の絶縁被覆Ｗｂの付いた部分を包み込むように内側に曲げられることで、電線Ｗの端末の絶縁被覆Ｗｂで覆われた部分を底板部２３の上面に密着した状態となるように加締めるものである。本実施形態において、導体圧着部１４の底板部２１と被覆加締部１５の底板部２３は、共通の底板部として連続して形成されている。
【００１５】
カバー部材３０，４０は、吸水性樹脂で構成されている。吸水性樹脂としては、高分子吸水ポリマー等が挙げられる。図１（ｂ）に示したように、カバー部材３０，４０は、吸水性樹脂層３１の電線Ｗに接する側（すなわち、カバー部材３０，４０の内面側）に不透水層３２が形成されている。
前記カバー部材３０，４０は、市販のものを用いることができ、例えば、アクアパール（商品名，サンダイヤポリマー株式会社製）等が挙げられる。
【００１６】
実施形態の接続構造を得るには、図１及び図２に示したように、圧着端子１０の導体圧着部１４と被覆加締部１５によって電線Ｗの端末の導体Ｗａと絶縁被覆Ｗｂの付いた部分をそれぞれ加締める際に、電線Ｗの導体Ｗａが外部に露出する可能性のある部分を少なくとも含むように、予め加締めを行う前に、電線Ｗの端末の上側に、不透水層３２を内面側として吸水性樹脂層３１よりなるカバー部材３０，４０を覆い被せる。その際、導体圧着部１４と被覆加締部１５の間に露出する導体Ｗａを覆うように、半円筒状の第１のカバー部材３０を被せ、第１カバー部材３０の前端を、導体圧着部１４の導体加締片２２により加締められる位置まで延ばすと共に、第１カバー部材３０の後端を、被覆加締部１５の被覆加締片２４により加締められる位置まで延ばしておく。また、電線Ｗの導体Ｗａの先端面を、第２のカバー部材４０で覆っておく。
【００１７】
次に、図３に示したように、カバー部材３０，４０を配設した状態で、導体加締片２２と被覆加締片２４の加締めを行うことにより、導体Ｗａの露出部分を覆った状態で、カバー部材３０，４０を導体加締片２２と被覆加締片２４とによって保持する。これにより、圧着端子１０の電線Ｗに対する接続構造が完成する。
【００１８】
このように構成した接続構造によれば、図４に示したように、吸水性樹脂よりなるカバー部材３０，４０を電線Ｗの端末の上に覆い被せた上で、圧着端子１０の導体圧着部１４の導体加締片２２と被覆加締部１５の被覆加締片２４を、電線Ｗの端末の被覆Ｗｂを除去して露出させた導体Ｗａと被覆Ｗｂの付いた部分に対してそれぞれ加締めているので、カバー部材３０，４０が導体Ｗａの露出部分を全て覆い隠すことになり、もし水分が電線接続部１２に付着して内部に浸入しようとしても、水分をカバー部材３０，４０を構成する吸水性樹脂層３１によって積極的に吸収することができる。しかも、カバー部材３０，４０の内面には不透水層３２が設けられているので、カバー部材３０，４０の内側にある導体Ｗａにまで水分が浸入するのを確実に阻止することができる。従って、水分の付着による導体Ｗａの腐食を防止することができ、圧着端子１０と電線Ｗの接続信頼性を長期間にわたり維持することができる。
【００１９】
また、本実施形態の接続構造によれば、カバー部材を第１のカバー部材３０と第２のカバー部材４０に２部品化することにより、導体圧着部１４や被覆加締部１５を加締めた後に導体Ｗａが露出している部分を最小限の範囲で覆い隠すことができる。従って導体圧着部１４のように、圧着端子１０と電線Ｗの導体Ｗａの接触面積を最大に確保する必要のある部分は、その障害となるカバー部材を極力省略することによって、高い電気接続性能の維持を図ることができる。
【００２０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２１】
例えば、第１のカバー部材３０と第２のカバー部材４０を一体に形成しながら、導体圧着部１４の導体加締片２２と導体Ｗａの接触面積を減らさないように工夫することも可能である。
【００２２】
また、第１のカバー部材３０だけ用いて、導体Ｗａの先端面を覆う第２のカバー部材４０を省略し、その部分は防水樹脂等で覆うようにすることも可能である。
【符号の説明】
【００２３】
Ｗ    電線
Ｗａ  導体
Ｗｂ  絶縁被覆
１０  圧着端子
１１  電気接続部
１２  電線接続部
１４  導体圧着部
１５  被覆加締部
２１  底板部
２２  導体加締片
２３  底板部
２４  被覆加締片
３０  第１のカバー部材
３１  吸水性樹脂層
３２  不透水層
４０  第２のカバー部材
【図１】
0005606115.tif 000002
【図２】
0005606115.tif 000003
【図３】
0005606115.tif 000004
【図４】
0005606115.tif 000005
【図５】
0005606115.tif 000006